(57)【要約】      （修正有）【課題】強度を高め、積み重ねても安全な収納ボックスを提供する。【解決手段】第１のボックスカバー２０と、第２のボックスカバー３０と、その両端が、それぞれ、前記第１のボックスカバーおよび前記第２のボックスカバーに接続可能であるボックス本体１０と、を備える。前記ボックス本体は、支持リブ１１と、複数のボックス本体パネル１２と、を備える。前記複数のボックス本体パネルは、端部から端部まで順番に接続され、２つの隣接する前記ボックス本体パネルは、前記支持リブを介して互いに接続されている。【選択図】図１
0003232537.tif 000002
【実用新案登録請求の範囲】
【請求項１】
第１のボックスカバー（２０）と、
第２のボックスカバー（３０）と、
その両端が、それぞれ、前記第１のボックスカバー（２０）および前記第２のボックスカバー（３０）に接続可能であるボックス本体（１０）と、を備え、
前記ボックス本体（１０）は、
支持リブ（１１）と、
複数のボックス本体パネル（１２）と、を備え、
前記複数のボックス本体パネル（１２）は、端部から端部まで順番に接続され、２つの隣接する前記ボックス本体パネル（１２）は、前記支持リブ（１１）を介して互いに接続されていることを特徴とする収納ボックス。
【請求項２】
前記支持リブ（１１）は、帯状の弧状の支持部材であり、前記支持リブ（１１）の２つの円弧端部エッジ（１１０）は、それぞれ、２つの前記ボックス本体パネル（１２）に接続され、前記支持リブ（１１）の中央部には、長さ方向に沿って折り畳み容易な部（１２３）が設けられていることを特徴とする、請求項１に記載の収納ボックス。
【請求項３】
前記支持リブ（１１）とボックス本体パネル（１２）は、熱可塑的に接続または接着されていることを特徴とする、請求項２に記載の収納ボックス。
【請求項４】
前記ボックス本体パネル（１２）には、折り畳み容易な部（１２３）が設けられ、前記折り畳み容易な部（１２３）および前記支持リブ（１１）は、同じ方向に配置されていることを特徴とする、請求項２に記載の収納ボックス。
【請求項５】
前記ボックス本体パネル（１２）は、竪プレート（１２１）および横プレート（１２２）を備え、前記折り畳み容易な部（１２３）は、２つの対向する竪プレート（１２１）上に配置され、前記横プレート（１２２）には、ピックアンドプレースドア（２１）が設けられていることを特徴とする、請求項４に記載の収納ボックス。
【請求項６】
前記第１のボックスカバー（２０）には、ピックアンドプレースドア（２１）が設けられていることを特徴とする、請求項４に記載の収納ボックス。
【請求項７】
前記横プレート（１２２）の幅は、前記竪プレート（１２１）の幅よりも広く、前記ピックアンドプレースドア（２１）の開放・回転軸は、前記横プレート（１２２）と平行であることを特徴とする、請求項６に記載の収納ボックス。
【請求項８】
前記第１のボックスカバー（２０）の隣接する２つの側部および前記第２のボックスカバー（３０）の隣接する２つの側部には、引掛け部（４０）が設けられていることを特徴とする、請求項１に記載の収納ボックス。
【請求項９】
前記第１のボックスカバー（２０）および前記第２のボックスカバー（３０）は、内側面に第１のクランプ部材が設けられ、前記ボックス本体（１０）は、両端に前記第１のクランプ部材を合わせる第２のクランプ部材が設けられていることを特徴とする、請求項１に記載の収納ボックス。
【請求項１０】
前記ボックス本体（１０）の第１の端部は、前記第１のボックスカバー（２０）に接続され、前記第１の端部のエッジの数は、前記第１のボックスカバー（２０）のエッジの数と同じであり、
前記ボックス本体（１０）の第２の端部は、前記第２のボックスカバー（３０）に接続され、前記第２の端部のエッジの数は、前記第２のボックスカバー（３０）のエッジの数と同じであることを特徴とする、請求項１に記載の収納ボックス。
【考案の詳細な説明】
【技術分野】
【０００１】
本実用新案は、収納器具の技術分野に属し、特に収納ボックスに関する。
【背景技術】
【０００２】
近年、経済と技術の発展に伴い、人々の生活水準はますます高くなり、日用品が占める家庭空間も増えている。各家庭の限られた生活空間のために、家庭の利用可能なスペースはますます制限されており、これらの物品を収納するために、より合理的な家庭用品を必要としている。
【考案の概要】
【考案が解決しようとする課題】
【０００３】
現在市販されている従来の技術の収納ボックスは比較的広いスペースを占めており、特に収納ボックスに物品が置かれていない場合、スペースの浪費が発生している。
【０００４】
また、いくつかの既存の収納ボックスは、折り畳むことができるが、従来の技術では、ボックス本体の折り畳みを達成するために、より柔らかい材料で作られたボックス本体が使用されている。このようなボックス本体では、構造強度が低く、前後のボックスカバーとの接続がしっかりしておらず、歪んだりずれたりしやすく、不安定で、収納ボックスの造形に不便である。
【課題を解決するための手段】
【０００５】
上記の問題を解決するために、本実用新案は、下記の構成とする。
第１のボックスカバー（２０）と、
第２のボックスカバー（３０）と、
その両端が、それぞれ、前記第１のボックスカバー（２０）および前記第２のボックスカバー（３０）に接続可能であるボックス本体（１０）と、を備え、
前記ボックス本体（１０）は、
支持リブ（１１）と、
複数のボックス本体パネル（１２）と、を備え、
前記複数のボックス本体パネル（１２）は、端部から端部まで順番に接続され、２つの隣接する前記ボックス本体パネル（１２）は、前記支持リブ（１１）を介して互いに接続されていることを特徴とする収納ボックス。
【０００６】
一形態においては、前記支持リブは、帯状の弧状の支持部材であり、前記支持リブの２つの円弧端部エッジは、それぞれ、２つの前記ボックス本体パネルに接続され、前記支持リブの中央部には、長さ方向に沿って可撓性部が設けられている。
【０００７】
一形態においては、前記支持リブとボックス本体パネルは、熱可塑的に接続または接着されている。
【０００８】
一形態においては、前記ボックス本体パネルには、折り畳み容易な部が設けられ、前記折り畳み容易な部および前記支持リブは、同じ方向に配置されている。
【０００９】
一形態においては、前記ボックス本体パネルは、竪プレートおよび横プレートを備え、前記折り畳み容易な部は、２つの対向する竪プレート上に配置され、前記横プレートには、ピックアンドプレースドア２１が設けられている。
【００１０】
一形態においては、前記第１のボックスカバーには、ピックアンドプレースドアが設けられている。
【００１１】
一形態においては、前記横プレートの幅は、前記竪プレートの幅よりも広く、前記ピックアンドプレースドアの開放・回転軸は、前記横プレートと平行である。
【００１２】
一形態においては、前記第１のボックスカバーの隣接する２つの側部および前記第２のボックスカバーの隣接する２つの側部には、引掛け部が設けられている。
【００１３】
一形態においては、前記第１のボックスカバーおよび前記第２のボックスカバーは、内側面に第１のクランプ部材が設けられ、前記ボックス本体は、両端に前記第１のクランプ部材を合わせる第２のクランプ部材が設けられている。
【００１４】
一形態においては、前記ボックス本体の第１の端部は、前記第１のボックスカバーに接続され、前記第１の端部のエッジの数は、前記第１のボックスカバーのエッジの数と同じであり、前記ボックス本体の第２の端部は、前記第２のボックスカバーに接続され、前記第２の端部のエッジの数は、前記第２のボックスカバーのエッジの数と同じである。
【考案の効果】
【００１５】
本実用新案の有益な効果としては、
一、支持リブは、ボックス本体のより良い支持を提供し、ボックス本体の強度を高め、そのエッジのより多くの造形設計を可能にし、
二、ボックス本体と前後のボックスカバーとの間の接続をより強固にし、ボックス本体と前後のボックスカバーとの間の相対変位を低減し、ボックス本体の歪みおよび崩壊を低減または回避し、安定性を高めるように構成される。
三、ピックアンドプレースドアは、物品のピックアンドプレースを容易にするために、上向きに開くように構成される。
四、複数の収納ボックス間のより便利な積み重ねの組み合わせを実現する。
【図面の簡単な説明】
【００１６】
【図１】本実用新案の分解構造の概略図である。
【図２】本実用新案のボックス本体の構造状態の概略図である。
【図３】本実用新案の組み立て状態の概略図である。
【図４】ボックス本体の分解構造の概略図である。
【図５】複数の収納ボックスを組み合わせて使用した状態の概略図である。
【考案を実施するための形態】
【００１７】
以下、本実用新案について、図面を参照してさらに説明する。
【００１８】
図１に示すように、収納ボックスは、
第１のボックスカバー２０と、
第２のボックスカバー３０と、
その両端が、それぞれ、前記第１のボックスカバー２０および前記第２のボックスカバー３０に接続可能であるボックス本体１０と、を備え、
前記ボックス本体１０が展開された後、前記第１のボックスカバー２０および前記第２のボックスカバー３０が、前記ボックス本体１０の両端に取り付けられている。
【００１９】
一形態においては、前記ボックス本体１０は、前記ボックス本体と前記ボックスカバーとの間の固定接続を達成するために、前記第１のボックスカバー２０および前記第２のボックスカバー３０に埋め込まれるかまたは挿入されるように構成される。
【００２０】
図２を参照すると、前記ボックス本体１０は、
支持リブ１１と、
複数のボックス本体パネル１２と、を備え、
前記支持リブ１１は、前記ボックス本体パネル１２よりも硬い材料でできており、一般に、硬いポリマー材料が使用されているので、前記ボックス本体１０は、より良い支持構造を有し、形状をよりよく維持することができ、
前記複数のボックス本体パネル１２は、端部から端部まで順番に接続され、２つの隣接する前記ボックス本体パネル１２は、前記支持リブ１１を介して互いに接続されている。
【００２１】
前記支持リブ１１は、帯状の弧状の支持部材であり、もちろん、他の類似したの構造形状の設計もまた、この特許の範囲内に含まれるべきである。前記支持リブ１１の２つの円弧端部エッジ１１０は、それぞれ、２つの前記ボックス本体パネル１２に接続されている。前記円弧端部エッジ１１０は、前記支持リブ１１の円弧面の両端部の長辺である。
【００２２】
図４を参照すると、一形態においては、前記支持リブ１１の中央部には、長さ方向に沿って折り畳み容易な部１２３が設けられている。このように、支持リブ１１の２つの部分は、折り畳み容易な線に沿って半分に折り畳むことができるので、ボックス本体の収納プロセス中にボックスをよりよく積み重ねることができ、またボックス本体１０の角部も曲げることができる。
【００２３】
一実施例においては、前記帯状の弧状の支持部材を前提として、前記第１のボックスカバー２０および前記第２のボックスカバー３０の対応する端部コーナーもまた弧状である。
【００２４】
前記支持リブ１１と前記ボックス本体パネル１２は、熱可塑的にまたは接着剤によって接続されており、熱可塑性接続により、前記支持リブ１１と前記ボックス本体パネル１２との良好な接続が可能になる。
【００２５】
前記ボックス本体パネル１２には、折り畳み容易な部１２３が設けられ、前記折り畳み容易な部１２３および前記支持リブ１１は、同じ方向に配置されている。図に示すように、前記折り畳み容易な部１２３により、前記パネルを半分に折り畳むことができる。図２の上方の図面を参照すると、２枚の竪プレート１２１を前記折り畳み容易な部１２３で半分に折り曲げることにより、２枚の横プレート１２２を互いに近づけることができ、それにより折り畳みが容易になる。
【００２６】
前記ボックス本体パネル１２は、竪プレート１２１および横プレート１２２を備え、前記折り畳み容易な部１２３は、２つの対向する竪プレート１２１上に配置されている。
【００２７】
一形態においては、前記横プレート１２２には、ピックアンドプレースドア２１が設けられ、前記ピックアンドプレースドア２１の開放方向は、実際の使用環境に応じて設定される。
【００２８】
別の形態においては、前記第１のボックスカバー２０には、ピックアンドプレースドア２１が設けられている。
【００２９】
図３を参照すると、前記横プレート１２２の幅は、前記竪プレート１２１の幅よりも広く、前記ピックアンドプレースドア２１の開放・回転軸は、前記横プレート１２２と平行であり、すなわち、一形態においては、前記ピックアンドプレースドア２１は、上向きに回されて開くように構成される。
【００３０】
図５に示すように、前記第１のボックスカバー２０の隣接する２つの側部および前記第２のボックスカバー３０の隣接する２つの側部には、引掛け部４０が設けられ、前記第１のボックスカバー２０の他の隣接する２つの側部および前記第２のボックスカバー３０の他の隣接する２つの側部には、複数の収納ボックスの組み合わせ接続を実現するために、引掛け部４０を合わせる引掛け溝が設けられている。一形態においては、前記引掛け部４０および前記引掛け溝の特定の構造は、既存の構造を採用することができ、特に限定されない。
【００３１】
前記第１のボックスカバー２０および前記第２のボックスカバー３０は、内側面に第１のクランプ部材が設けられ、前記ボックス本体１０は、両端に前記第１のクランプ部材を合わせる第２のクランプ部材が設けられている。
【００３２】
図４を参照すると、嵌合を容易にするために、前記ボックス本体１０の第１の端部は、前記第１のボックスカバー２０に接続され、前記第１の端部のエッジの数は、前記第１のボックスカバー２０のエッジの数と同じであり、前記ボックス本体１０の第２の端部は、前記第２のボックスカバー３０に接続され、前記第２の端部のエッジの数は、前記第２のボックスカバー３０のエッジの数と同じである。
【００３３】
当業者は、本実用新案の一般的な精神および概念から逸脱することなく、上記の実施例に様々な変形を加えることができ、それらがすべて本実用新案の保護範囲に含まれることを明確に理解することができる。本実用新案の考案は、本実用新案に添付された特許請求の範囲に準ずる。
【符号の説明】
【００３４】
１０  ボックス本体
１１  支持リブ
１２  ボックス本体パネル
１１０  円弧端部エッジ
１２１  竪プレート
１２２  横プレート
１２３  折り畳み容易な部
２０  第１のボックスカバー
２１  ピックアンドプレースドア
３０  第２のボックスカバー
４０  引掛け部
【図１】
0003232537.tif 000003
【図２】
0003232537.tif 000004
【図３】
0003232537.tif 000005
【図４】
0003232537.tif 000006
【図５】
0003232537.tif 000007
【手続補正書】
【提出日】令和3年4月8日(2021.4.8)
【手続補正１】
【補正対象書類名】実用新案登録請求の範囲
【補正対象項目名】全文
【補正方法】変更
【補正の内容】
【実用新案登録請求の範囲】
【請求項１】
第１のボックスカバー（２０）と、
第２のボックスカバー（３０）と、
その両端が、それぞれ、前記第１のボックスカバー（２０）および前記第２のボックスカバー（３０）に接続可能であるボックス本体（１０）と、を備え、
前記ボックス本体（１０）は、
支持リブ（１１）と、
複数のボックス本体パネル（１２）と、を備え、
前記複数のボックス本体パネル（１２）は、端部から端部まで順番に接続され、２つの隣接する前記ボックス本体パネル（１２）は、前記支持リブ（１１）を介して互いに接続されていることを特徴とする収納ボックス。
【請求項２】
前記支持リブ（１１）は、帯状の弧状の支持部材であり、前記支持リブ（１１）の２つの円弧端部エッジ（１１０）は、それぞれ、２つの前記ボックス本体パネル（１２）に接続され、前記支持リブ（１１）の中央部には、長さ方向に沿って折り畳み容易な部（１２３）が設けられていることを特徴とする、請求項１に記載の収納ボックス。
【請求項３】
前記支持リブ（１１）とボックス本体パネル（１２）は、熱可塑的に接続または接着されていることを特徴とする、請求項２に記載の収納ボックス。
【請求項４】
前記ボックス本体パネル（１２）には、折り畳み容易な部（１２３）が設けられ、前記折り畳み容易な部（１２３）および前記支持リブ（１１）は、同じ方向に配置されていることを特徴とする、請求項２に記載の収納ボックス。
【請求項５】
前記ボックス本体パネル（１２）は、竪プレート（１２１）および横プレート（１２２）を備え、前記折り畳み容易な部（１２３）は、２つの対向する竪プレート（１２１）上に配置され、前記横プレート（１２２）には、ピックアンドプレースドア（２１）が設けられていることを特徴とする、請求項４に記載の収納ボックス。
【請求項６】
前記ボックス本体パネル（１２）は、竪プレート（１２１）および横プレート（１２２）を備え、前記第１のボックスカバー（２０）には、ピックアンドプレースドア（２１）が設けられていることを特徴とする、請求項４に記載の収納ボックス。
【請求項７】
前記横プレート（１２２）の幅は、前記竪プレート（１２１）の幅よりも広く、前記ピックアンドプレースドア（２１）の開放・回転軸は、前記横プレート（１２２）と平行であることを特徴とする、請求項６に記載の収納ボックス。
【請求項８】
前記第１のボックスカバー（２０）の隣接する２つの側部および前記第２のボックスカバー（３０）の隣接する２つの側部には、引掛け部（４０）が設けられていることを特徴とする、請求項１に記載の収納ボックス。
【請求項９】
前記第１のボックスカバー（２０）および前記第２のボックスカバー（３０）は、内側面に第１のクランプ部材が設けられ、前記ボックス本体（１０）は、両端に前記第１のクランプ部材を合わせる第２のクランプ部材が設けられていることを特徴とする、請求項１に記載の収納ボックス。
【請求項１０】
前記ボックス本体（１０）の第１の端部は、前記第１のボックスカバー（２０）に接続され、前記第１の端部のエッジの数は、前記第１のボックスカバー（２０）のエッジの数と同じであり、
前記ボックス本体（１０）の第２の端部は、前記第２のボックスカバー（３０）に接続され、前記第２の端部のエッジの数は、前記第２のボックスカバー（３０）のエッジの数と同じであることを特徴とする、請求項１に記載の収納ボックス。